(57)【特許請求の範囲】
【請求項１】
容器の口部に取付けられ口部を密封する本体部と、該本体部の上面に設けられ、前記容器の内容物を注出する注出口と、該注出口とともに前記本体部の上面を覆う蓋部と、該蓋部の外側に設けられ、該蓋部を前記本体部に開閉可能に連結するヒンジ部と、前記本体部の上面の前記注出口と前記ヒンジ部の連結部との間に前記蓋部の開閉方向に対し斜めに延設して、略ハの字状に対向して配置された一対の平板状の係合壁と、前記蓋部の内側に設けられ、前記蓋部が閉じた状態で前記一対の係合壁の内側に嵌め込まれるようにして近接係合する、略ハの字状に配設された一対の平板状の被係合壁とを有するキャップ。
【請求項２】
前記蓋部を前記本体部側に付勢する付勢手段を有し、前記蓋部が前記本体部側に付勢された状態で、前記係合壁は前記被係合壁に係合する請求項１に記載のキャップ。
【発明の詳細な説明】
【技術分野】
【０００１】
本発明は、容器の口部に取付けられるキャップに関する。
【背景技術】
【０００２】
従来、シャンプーや全身洗浄料などの液体、粘性体の内容物が充填された容器の口部には、弾性変形可能なヒンジによってキャップ本体に連結されたリクローズ可能な構造を有する軟質の合成樹脂製のキャップが冠着されている。
【０００３】
このようなキャップに設けられたヒンジは、通常は強度や屈曲性等の条件を満たす太さ（肉厚）、形状とされているが、物性上の強度不足等を補う種々の提案も成されている（例えば、特許文献１参照）。
【０００４】
図１に示す特許文献１に記載の例では、キャップ３０は、キャップ本体３１と蓋３２が、一対のヒンジ３３により連結されており、蓋３２内側のヒンジ３３寄りには、所定の間隔で一対の壁部３４を蓋３２の開閉方向に沿ってほぼ平行に延出させ、キャップ本体３１上面には一対の溝部３５を形成して、蓋３２を閉じたときに壁部３４が溝部３５に係合するようにされている。これにより、蓋３２に横方向や捻り方向の外力が加わっても、壁部３４及び溝部３５の係合部分による抵抗力で小さくされるため、ヒンジ３３に掛かる力も弱められるとされている。
【特許文献１】特開２００１−２０６４１５号公報
【発明の開示】
【発明が解決しようとする課題】
【０００５】
しかし、壁部３４と溝部３５はキャップの開閉方向に対してほぼ平行に設置されているため、開閉時にこのキャップに斜め方向の強い押圧力が加わった場合には、ヒンジ部が破損される恐れがある。
【０００６】
本発明は上記事実を考慮して、蓋に加わる捻り力等によって生じるヒンジの破損を改善させたキャップを提供することを課題とする。
【課題を解決するための手段】
【０００７】
請求項１に記載の発明は容器の口部に取付けられ口部を密封する本体部と、該本体部の上面に設けられ、前記容器の内容物を注出する注出口と、該注出口とともに前記本体部の上面を覆う蓋部と、該蓋部の外側に設けられ、該蓋部を前記本体部に開閉可能に連結するヒンジ部と、前記本体部の上面の前記注出口と前記ヒンジ部の連結部との間に前記蓋部の開閉方向に対し斜めに延設して、略ハの字状に対向して配置された一対の平板状の係合壁と、前記蓋部の内側に設けられ、前記蓋部が閉じた状態で前記一対の係合壁の内側に嵌め込まれるようにして近接係合する、略ハの字状に配設された一対の平板状の被係合壁とを有するキャップである。
【０００８】
請求項１の発明では注出口とともに本体部の上面を覆うための蓋部が、ある範囲の蓋の開き角度に達するまで、本体上部の係合壁が蓋部内側の被係合壁に係合する。
【０００９】
そこで、蓋部に、開閉方向に対して、平行方向（前後方向）、直交方向（横方向）、あるいは捻り方向等の外力が加わった場合、本体部上部の係合壁と蓋部の内側に設けられた被係合壁が、その外力に対する抵抗力を発生させるため、捻り力や衝撃力が蓋部に加わって生じるヒンジ部の破損が改善できる。また、キャップの蓋部に横方向や捻り方向の外力が加わった際に生じる、キャップの蓋部の外側に位置するヒンジ部を中心とした回転モーメントが、本体部上面の係合壁と蓋部内側の被係合壁の係合部分による抵抗力で小さくされるため、ヒンジ部に掛かる力も弱められる。
【００１０】
請求項２に記載の発明は、請求項１に記載のキャップにおいて前記蓋部を前記本体部側に付勢する付勢手段を有し、前記蓋部が前記本体部側に付勢された状態で、前記係合壁は前記被係合部に係合されている。
【００１１】
請求項２に記載の発明では、蓋部が付勢手段によって本体部側に付勢された状態のときに、係合部は被係合部に係合するため、例えば、蓋部を本体部に嵌合させてロックする構造のキャップにおいても、ロックしていない付勢状態の蓋部に外力が加わった際、係合部分での抵抗力によってヒンジ部に掛かる負荷が低減される。
【００１２】
また、蓋部を本体部に嵌合させ、ロックして閉じるものではなく、付勢手段によって本体部側に付勢させるのみで閉じた状態とする構造においても、同様に、蓋部の捻り等で加わるヒンジ部への力が係合部分によって抑えられる。
【００１３】
ここで、容器の落下等によりキャップに直接大きな押圧力が加わった場合、蓋部と本体部とは互いに離れる方向へ変形しようとするが、それぞれに設置された係合壁が互いに係合しているため、左右方向、前後方向および捻り方向のいずれの引き離し力に対しても  大きな抵抗力が生じる。よって、弾性部材からなるヒンジ部の容器落下等による破損が改善できる。
【００１４】
また係合壁、被係合壁ともヒンジ部付近に、蓋部の開閉方向に対して斜めに配置されているため、蓋部の開閉動作を妨げることなく、スムーズな係合が可能となる。
【発明の効果】
【００１５】
本発明のキャップによれば、蓋に加わる捻り力等によって生じるヒンジの破損を改善できる。
【発明を実施するための最良の形態】
【００１６】
本発明の好ましい一実施形態に係るキャップ１２は、図２及び図３に示すように、内部に例えばシャンプーや全身洗浄料などの液体、粘性体の内容物を収容した容器本体１１の口部に冠着されることにより、容器本体１１と共にヒンジ蓋付き容器１０を構成している。またキャップ１２は、肩部１１ａや頭部１１ｂ（図４参照）を含む容器本体１１の上端部分を覆って配置される本体部１３と、薄肉ヒンジ部１５を介してキャップ１２の本体部１３の周縁に開閉可能に連結される蓋１４とからなる。
【００１７】
本実施形態では、容器本体１１の胴部１１ｃは、４方の側面１１ｄ及びこれらの側面１１ｄをつなぐ４箇所の角部１１ｅが滑らかに湾曲しながら連続する略４角形の外周断面形状を備えると共に、胴部１１ｃと連設するキャップ１２もまた、４方の側面１２ｄ及びこれらの側面１２ｄをつなぐ４箇所の角部１２ｅが滑らかに湾曲しながら連続する略４角形の外周断面形状を備えている。一方、キャップ１２の蓋１４は、例えば上部から斜めに面取りしたキャップ１２の一箇所の角部１２ｅ’において、本体部１３の上端周縁に薄肉ヒンジ部１５を介して連結されており、当該薄肉ヒンジ部１５が設けられた角部１２ｅ’と対角位置にある角部１２ｅに指を係止しつつ蓋１４の開放を行う方向が、薄肉ヒンジ部１５の本来の開放方向（開閉方向）Ｘとなっている。
【００１８】
そして、本実施形態のキャップ１２は、図４及び図５にも示すように、薄肉ヒンジ部１５を介して本体部１３の周縁に開閉可能に連結された蓋１４を有し、本体部１３の中央部分に形成された注出口１６に蓋１４から内側に突出する棒状突起物１７を挿入して、蓋１４の閉塞時に注出口１６を封止するキャップであって、本体部１３には、注出口１６と薄肉ヒンジ部１５の連結部１８との間に、蓋１４の開閉方向Ｘに対し斜めに延設して略ハの字状に対向して配置された一対の係合壁１９が形成されており、蓋１４には、蓋１４の閉塞時に係合壁１９と対応して係合する被係合壁２０が内側に突出して設けられている。
【００１９】
本実施形態では、キャップ１２は、合成樹脂成形品であって、中空スカート状の本体部１３の天面板１３ａの中央部分から下方に突出する円筒状の雌ねじ部１３ｂを、容器本体１１の頭部１１ｂに設けられた雄ねじに螺合することにより、各側面１２ｄを容器本体１１の側面１１ｄに連続させた状態で（図３参照）、同じく合成樹脂成形品である容器本体１１の上端部分に取り付けられる。また本体部１３の天面板１３ａの中央部分には、容器本体１１の頭部１１ｂ及びキャップ１２の雌ねじ部１３ｂの内側に配置されて、例えば円形の注出口１６が周縁部に環状突部１６ａを突出させて開口形成されている。この注出口１６を介して、容器本体１１に収容された液体洗剤等を注出できるようになっていると共に、この注出口１６には、蓋１４の中央部分から下方に突出する例えば中空円筒状の棒状突起物１７が着脱可能に挿入係止されて、蓋１４の開閉操作に伴って注出口１６を開閉することができるようになっている。
【００２０】
蓋１４は、薄肉ヒンジ部１５を介在させて本体部１３と一体成形されることにより、本体部１３に対して開閉可能に連結した状態で形成される。蓋１４は、本体部１３と同様の一箇所の角部１２ｅ’が面取りされた略４角形の平面形状を備えると共に、上端周縁部が外側に迫り出すように形成されており、指を係止し易くして開閉操作を容易に行えるようになっている。また、薄肉ヒンジ部１５が設けられた角部１２ｅ’とは対角位置にある蓋１４の角部１２ｅには、上端周縁部の下側部分を凹ませて指欠け凹部２２が形成されており、薄肉ヒンジ部１５の本来の開放方向Ｘに蓋１４を開放させる正しい指の係止位置を案内している。さらに、蓋１４の下面側には、同心状に配置された中空円筒状の棒状突起物１７と支持円筒２３とが中央部分から下方に突出して設けられている。棒状突起物１７は、注出口１６の内径と略同等の外径を有していると共に、その下端外周面に、注出口１６の内径よりも外径が僅かに大きくなった環状段差部１７ａを備えている。蓋１４の下端周縁部１４ａが本体部１３の上端周縁部１３ｃに当接するまで蓋１４を閉塞した際に、棒状突起物１７の環状段差部１７ａが、注出口１６を押し広げるように弾性変形させつつ注出口１６に挿入されて注出口１６の下端周縁に係止されることにより、蓋１４による本体部１３及び注出口１６の閉塞状態を、十分な係合力で着脱可能にロックしておくことが可能になる。
【００２１】
キャップ１２の本体部１３と蓋１４とを連結する薄肉ヒンジ部１５は、薄肉ヒンジ部として公知のものであり、図５に示すように、例えば中央が薄肉となっていることにより二つ折りに折り曲げ可能な一対の帯状部分２５によって構成されている。また薄肉ヒンジ部１５は、これらの平行に配置された一対の帯状部分２５の間に配置されて、本体部１３に対して蓋１４を開く側や閉じる側に付勢する付勢手段としての弾性片２４を備えており、いわゆるクリアテックヒンジ形式のヒンジ部となっている。
【００２２】
本実施形態では、さらに、本体部１３の天面板１３ａには、周縁における薄肉ヒンジ部１５の連結部１８と注出口１６との間に、斜めに対向するように配置された係合壁１９が形成されており、係合壁１９と近接係合する被係合壁２０が、蓋１４の内側に突出して設けられている。係合壁１９や被係合壁２０は、本体部１３に対して蓋１４を開いた状態で、合成樹脂成形品としてキャップ１２を一体として成形する成形時に、キャップ１２の構成部分として組み込んで簡易且つ容易に設けることができる。また、係合壁１９は、注出口１６を介して収容された液体洗剤を注出する際に、邪魔にならず、かつ外観上違和感のない位置として、注出口１６よりも薄肉ヒンジ部１５側に寄った注出口１６と連結部１８との間に、略ハの字状に対向して配置された一対の平板状の部材として配設される。一方、被係合壁２０は、薄肉ヒンジ部１５から係合壁１９と略同じ距離離れた対応する位置に、略ハの字状に配設された一対の平板状の部材として蓋１４から内側に突出して設けられ、蓋１４が閉塞された際に、略ハの字状に配設された１対の被係合壁２０が、略ハの字状に配設された１対の係合壁１９の内側に嵌め込まれるようにして配置されることにより、互いに近接して係合される。
【００２３】
そして、上述の構成を備える本実施形態のキャップ１２によれば、キャップ１２の成形時に容易に設けることが可能な係合壁１９と被係合壁２０により、落下時の衝撃等を効果的に緩和して、本体部１３の注出口１６を封止している棒状突起物１７にピン折れ等の破損が生じるのを回避することができると共に、蓋１４に加わる捻り力等によって生じる薄肉ヒンジ部１５の破損を改善できる。すなわち、本実施形態によれば、蓋１４の閉塞時に、棒状突起物１７の注出口１６への係合に加えて、被係合壁２０が係合壁１９に近接するように係合されるので、例えば落下時の衝撃を受けた際に、係合壁１９に係合された被係合壁２０によって急激な曲げ荷重を効果的に支持することが可能になり、かかる曲げ荷重を分散することによって、棒状突起物１７に負荷される衝撃や薄肉ヒンジ部１５に負荷される荷重を緩和することが可能になる。
【００２４】
さらに、略４角形の外周断面形状を備えるヒンジ蓋付き容器１０に取り付けられた本実施形態のキャップ１２では、図２に示すように、４方の側面１１ｄ，１２ｄのうちの何れか一つの側面を容器１０の正面と認識し易く、当該正面と認識した側面１１ｄ，１２ｄに沿って指を上方にスライド移動させて、蓋１４を開放しようとする場合がある。このような場合、側面１１ｄ，１２ｄに沿った指のスライド方向Ｙは、薄肉ヒンジ部１５の本来の開放方向Ｘとはずれることになり、これによって薄肉ヒンジ部１５には斜め上方への捻れ力が負荷されることになる。本実施形態では、上述のように、本体部１３の天面板１３ａには、周縁の薄肉ヒンジ部１５の連結部１８と注出口１６との間に、係合壁１９と近接係合する被係合壁２０が、蓋１４の内側に突出して設けられており、蓋１４の閉塞時にこれらが係合するようになっている。したがって、これらを方向規制手段として、特に蓋１４の開放時に、スライド方向Ｙに沿った、誤った開放方向から蓋１４が開くのに伴って薄肉ヒンジ部１５の本来の開放方向Ｘに誘導されてゆくまでの間、薄肉ヒンジ部１５に負荷される捻れ力を効果的に支持して、薄肉ヒンジ部１５が破損するのを回避させることが可能になる。
【００２５】
なお、本発明は上記実施形態に限定されることなく種々の変更が可能である。例えば、係合壁１９および被係合部２０はそれぞれ根元付近が頂部に比べて幅あるいは奥行きが大きい、いわゆるテーパーを有していてもよく、これにより蓋の開閉時に互いにスムースに係合することが可能となる。
【００２６】
また、本発明のキャップが取り付けられるヒンジ蓋付き容器は、略４角形の外周断面形状を備える容器である必要は必ずしも無く、円形の外周断面形状等、その他の種々の形状を備える容器であっても良い。また、薄肉ヒンジ部はクリアテックヒンジによるものである必要は必ずしもなく、容器に収容される収容物は、液体洗剤以外のその他の種々の収容物であっても良い。さらに、蓋は、本体部を介することなく上部が閉塞された容器本体を本体部として当該容器本体に直接連結されるものであっても良い。
【図面の簡単な説明】
【００２７】
【図１】従来のキャップにおける蓋が開いた状態の斜視図である。
【図２】本発明の好ましい一実施形態に係るキャップが取り付けられたヒンジ蓋付き容器の斜視図である。
【図３】本発明の好ましい一実施形態に係るキャップが取り付けられたヒンジ蓋付き容器の部分斜視図である。
【図４】本発明の好ましい一実施形態に係るキャップが取り付けられたヒンジ蓋付き容器の要部を示す、図１のＡ−Ａ線に沿った断面図である。
【図５】本発明の好ましい一実施形態に係るキャップの要部を示す斜視図である。
【符号の説明】
【００２８】
１０  ヒンジ蓋付き容器
１１  容器本体
１２  キャップ
１３  キャップの本体部
１４  キャップの蓋
１５  薄肉ヒンジ部
１６  注出口
１７  棒状突起物
１８  薄肉ヒンジ部の連結部
１９  係合壁
２０  被係合壁
２４  弾性片
２５  帯状部分
Ｘ    薄肉ヒンジ部の本来の開放方向
Ｙ    薄肉ヒンジ部の本来の開放方向と異なる開放方向
【図１】
0004799110.tif 000002
【図２】
0004799110.tif 000003
【図３】
0004799110.tif 000004
【図４】
0004799110.tif 000005
【図５】
0004799110.tif 000006